(57)【特許請求の範囲】
【請求項１】
一方面が内壁面を構成する板部材と該板部材の他方面に水平方向に沿って突設されて前記板部材を補強する複数の横補強リブとを有し、前記板部材の側端辺において鉛直方向に補強リブが形成されず、互いの側端辺が隣接配置される一対の側壁パネルと、
前記一対の側壁パネルの側端辺の間に配置され、上面からみて前記一対の側壁パネルの前記板部材に対して交差する方向に板面が各々配置される一対の補助板部と、前記横補強リブの先端面に当接して前記一対の側壁パネルの各々を前記他方面側から支持する一対の背面部と、を有する支柱部材と、
を備えた、パネル連結構造。
【請求項２】
前記一対の補助板部の各々は、前記横補強リブの側端辺に当接して配置されることを特徴とする、請求項１に記載のパネル連結構造。
【請求項３】
前記支柱部材には、前記一対の側壁パネルの間を止水する止水部材を係合可能な係合部が構成されていることを特徴とする、請求項１または請求項２に記載のパネル連結構造。
【請求項４】
前記補助板部は、前記背面部と連接され、前記係合部と面一に形成されている、請求項３に記載のパネル連結構造。
【請求項５】
前記横補強リブの側端部と前記板部材の側端辺は離間し、
前記補助板部から屈曲して連続され、前記板部材の前記他方面に沿って配置される板面支持部と、
前記板部材の前記他方面に密着し、前記板部材の他方面と前記板面支持部との間をシールする止水板と、
を備えた請求項１〜３のいずれか１項に記載のパネル連結構造。
【請求項６】
前記補助板部から屈曲して連続され、前記板部材の前記他方面に沿って配置される板面支持部と、
前記板部材の前記他方面に密着し、前記板部材の他方面と前記板面支持部との間をシールする止水板と、
前記補助板部及び前記板面支持部に対応する位置に形成され、前記横補強リブの側端部が挿入される切欠部と、
を備えた請求項１〜３のいずれか１項に記載のパネル連結構造。
【請求項７】
前記背面部の各々から折り返されて床コーナーに沿って屈曲されたコーナー部、を備えた請求項１〜６のいずれか１項に記載のパネル連結構造。
【発明の詳細な説明】
【技術分野】
【０００１】
本発明は、複数のパネルを接合して組み立てを行う、ユニット式ルーム等の構造体に用いられる、パネル連結構造に関するものである。
【背景技術】
【０００２】
複数枚のパネルを接合して組み立てを行う構造体として、例えば、特許文献１に開示されたバスユニット等がある。特許文献１には、コーナーポストを介して壁パネルが連結されている壁パネルコーナー部の構造が開示されている。
【０００３】
一般的に、壁パネルにはサイズ規格があり、パネルを接合して組み立てられた構造体の改修を行う場合には、当該構造体に適合するサイズの壁パネルを用いることが要求される。ここで、サイズの異なる壁パネルであっても、端部を切断するなどの加工を行うことによって使用することができれば、壁パネルの選択の自由度が高まる。
【０００４】
しかしながら、特許文献１のように、壁パネルが外面にリブ（補強板）及び側縁を有するタイプの場合には、端部の切断によって側縁がなくなることから、特許文献１で開示されている壁パネル同士の連結構造では、連結が難しい。
【先行技術文献】
【特許文献】
【０００５】
【特許文献１】特開平７−５４４２６号公報
【発明の概要】
【発明が解決しようとする課題】
【０００６】
本発明は、上記問題を解決すべく成されたもので、外面が補強板で補強されている壁パネルについて、側縁の有無にかかわらず壁パネル同士を連結可能とする、パネル連結構造を提供するものである。
【課題を解決するための手段】
【０００７】
請求項１に記載のパネル連結構造は、一方面が内壁面を構成する板部材と該板部材の他方面に水平方向に沿って突設されて前記板部材を補強する複数の横補強リブとを有し、前記板部材の側端辺において鉛直方向に補強リブが形成されず、互いの側端辺が隣接配置される一対の側壁パネルと、前記一対の側壁パネルの側端辺の間に配置され、上面からみて前記一対の側壁パネルの前記板部材に対して交差する方向に板面が各々配置される一対の補助板部と、前記横補強リブの先端面に当接して前記一対の側壁パネルの各々を前記他方面側から支持する一対の背面部と、を有する支柱部材と、を備えている。
【０００８】
請求項１のパネル連結構造では、一方面が内壁面を構成する板部材と該板部材の他方面に突設されて前記板部材を補強する複数の横補強リブとを有する一対の側壁パネルが支柱部材によって連結される。支柱部材は、一対の補助板部と一対の背面部とを有している。一対の補助板部は、一対の側壁パネルの側端辺の間に配置され、上面からみて一対の側壁パネルの板部材に対して交差する方向に各々配置されている。一対の背面部は、横補強リブの先端面に当接して側壁パネルの各々を他方面側から支持している。
【０００９】
上記構成によれば、支柱部材は側壁パネルの各々を横補強リブの先端面に当接して支持して、側縁の有無にかかわらず一対の側壁パネルを連結することができる。また、側壁パネルの板部材に対して交差する方向に補助板部が配置されているので、側縁がない場合であっても、補強板部によって側壁パネルの端部の強度を維持することができる。
【００１０】
請求項２に記載のパネル連結構造は、前記一対の補助板部の各々は、前記横補強リブの側端辺に当接して配置されることを特徴とする。
【００１１】
このように、補助板部を横補強リブの側端辺に当接させることにより、支柱部材に対して補助板部を用いて側壁パネルの側端面の位置決めを行うことができる。
【００１２】
請求項３に記載のパネル連結構造は、前記支柱部材には、前記一対の側壁パネルの間を止水する止水部材を係合可能な係合部が構成されていることを特徴とする。
【００１３】
このように、支柱部材に止水部材用の係合部を構成することにより、一対の側壁パネルの間に簡単に止水部材をセットすることができる。
請求項４に記載のパネル連結構造は、前記補助板部は、前記背面部と連接され、前記係合部と面一に形成されている。
請求項５に記載のパネル連結構造は、前記横補強リブの側端部と前記板部材の側端辺は離間し、前記補助板部から屈曲して連続され、前記板部材の前記他方面に沿って配置される板面支持部と、前記板部材の前記他方面に密着し、前記板部材の他方面と前記板面支持部との間をシールする止水板と、を備えている。
請求項６に記載のパネル連結構造は、前記補助板部から屈曲して連続され、前記板部材の前記他方面に沿って配置される板面支持部と、前記板部材の前記他方面に密着し、前記板部材の他方面と前記板面支持部との間をシールする止水部材と、前記補助板部及び前記板面支持部に対応する位置に形成され、前記横補強リブの側端部が挿入される切欠部と、を備えている。
請求項７に記載のパネル連結構造は、前記背面部の各々から折り返されて床コーナーに沿って屈曲されたコーナー部、を備えている。
【発明の効果】
【００１４】
以上説明したように、本発明のパネル連結構造によれば、側縁の有無にかかわらず一対の側壁パネルを連結することができ、側壁パネルの端部の強度を維持することができる。
【図面の簡単な説明】
【００１５】
【図１】ユニット式ルームの分解斜視図である。
【図２Ａ】第１実施形態の側壁パネルの一部拡大斜視図である。
【図２Ｂ】第１実施形態の変形例の側壁パネルの一部拡大斜視図である。
【図３】第１実施形態のパネル連結構造の分解斜視図である。
【図４】第１実施形態のパネル連結構造の断面図である。
【図５】第１実施形態の変形例に係るパネル連結構造の分解斜視図である。
【図６】第１実施形態の変形例に係るパネル連結構造の断面図である。
【図７】第２実施形態のパネル連結構造の分解斜視図である。
【図８】第２実施形態のパネル連結構造の断面図である。
【図９】第２実施形態の変形例に係るパネル連結構造の分解斜視図である。
【図１０】第２実施形態の変形例に係るパネル連結構造の断面図である。
【発明を実施するための形態】
【００１６】
[第１実施形態]
以下、図面を参照して本発明のパネル連結構造の第１実施形態について説明する。図１には、本発明のパネル連結構造が適用されるユニット式ルーム１０の概略構成が分解斜視図にて示されている。
【００１７】
図１に示すように、ユニット式ルーム１０は、浴槽１２Ａと床１２Ｂとが一体となった浴槽一体床パネル１２を備えている。浴槽一体床パネル１２の外周端辺は上方に折り返されて水返し部１２Ｃが形成されている。浴槽一体床パネル１２の各コーナー部分には、それぞれ支柱部材３０が配置され、支柱部材３０の上端部に天井パネル１６が搭載され固定されている。天井パネル１６には、室外の面（上面）に、補強用の縦リブ１６Ａ及び横リブ１６Ｂが格子状に形成されていると共に、外周縁に沿って外周フランジ１６Ｃが形成されている。
【００１８】
浴槽一体床パネル１２の上には、支柱部材３０間に側壁パネル１８、２０、２２、２４が配置されている。なお、側壁パネル２４の側部にはドア２６が配置されている。側壁パネル１８、２０、２２、２４及び天井パネル１６に囲まれた内側に浴室空間Ｒ１が構成されている。
【００１９】
側壁パネル１８、２０、２２、２４は、各々、浴室空間Ｒ１に面する内壁面１８Ｒ、２０Ｒ、２２Ｒ、２４Ｒ（一方面）を構成する板部材１８Ｃ、２０Ｃ、２２Ｃ、２４Ｃを備えている。板部材１８Ｃ、２０Ｃ、２２Ｃ、２４Ｃの浴室空間Ｒ１外側の面（他方面）には、補強用の複数の縦補強リブ１８Ａ、２０Ａ、２２Ａ、２４Ａ、及び、複数の横補強リブ１８Ｂ、２０Ｂ、２２Ｂ、２４Ｂが格子状に形成されている。縦補強リブ１８Ａ、２０Ａ、２２Ａ、２４Ａは、上下方向に沿って形成されており、横補強リブ１８Ｂ、２０Ｂ、２２Ｂ、２４Ｂは、水平方向に沿って形成されている。縦補強リブ１８Ａ、２０Ａ、２２Ａ、２４Ａ、及び、横補強リブ１８Ｂ、２０Ｂ、２２Ｂ、２４Ｂは板状とされ、側壁パネル１８、２０、２２、２４の壁厚方向の外側に突設され、板面が板部材１８Ｃ、２０Ｃ、２２Ｃ、２４Ｃ他方面と略直交するように配置されている（図２（Ａ）参照）。なお、浴槽一体床パネル１２、天井パネル１６、及び側壁パネル１８、２０、２２、２４は、例えば、ＦＲＰ（ファイバー・レインフォースド・プラスチック）等で形成することができる。
【００２０】
ユニット式ルーム１０では、側壁パネル１８、２０、２２、２４は、隣り合う側壁パネル同士を、本発明のパネル連結構造を用いて連結することができる。本実施形態では、側壁パネル１８、２０を例にして説明する。
【００２１】
側壁パネル１８、２０は、互いの一方側端辺１８Ｄ、２０Ｄが隣接配置されている。図３にも示されるように、側端辺１８Ｄ、２０Ｄには、縦補強リブ１８Ａ、２０Ａが形成されておらず、横補強リブ１８Ｂ、２０Ｂが側端辺１８Ｄ、２０Ｄまで延出形成されている。支柱部材３０は、側端辺１８Ｄ、２０Ｄの間に配置されている。パネル連結構造７０は、側壁パネル１８、２０及び支柱部材３０を備えたものである。
【００２２】
支柱部材３０は、図１に示されるように、床１２Ｂから天井パネル１６に至る長さの支柱であり、一枚の板で一体的に形成されている。支柱部材３０は、金属板を曲げ加工により形成してもよいし、金型を用いて樹脂により一体成型してもよい。支柱部材３０は、図３及び図４にも示すように、コーナー部３２、背面部３４Ａ、３４Ｂ、補助板部３６Ａ、３６Ｂ、及び、係合部３８Ａ、３８Ｂを備えている。
【００２３】
コーナー部３２は、床１２Ｂのコーナーに沿った屈曲形状（本実施形態ではＬ字状）とされ、下端部が水返し部１２Ｃの内側に配置されている。コーナー部３２の両端の各々は、浴室空間Ｒ１側へ折り返されて背面部３４Ａ、３４Ｂが構成されている。背面部３４Ａは、横補強リブ１８Ｂの先端面１８ＢＳに当接して側壁パネル１８を外側から支持する。背面部３４Ｂは、横補強リブ２０Ｂの先端面２０ＢＳに当接して側壁パネル２０を外側から支持する。
【００２４】
補助板部３６Ａ、３６Ｂは、各々、背面部３４Ａ、３４Ｂと連続構成されており、コーナー部３２から離れるように屈曲され、板面が側壁パネル１８、２０の側端辺１８Ｄ、２０Ｄに沿うように配置されている。補助板部３６Ａ、３６Ｂの板面は、側端辺１８Ｄ、２０Ｄに当接して側壁パネル１８、２０の位置決めがされている。
【００２５】
係合部３８Ａ、３８Ｂは、各々、補助板部３６Ａ、３６Ｂから屈曲して連続構成され、板面が側壁パネル１８、２０の側端辺１８Ｄ、２０Ｄから離れるように配置されている。係合部３８Ａと係合部３８Ｂは、互いの先端が、対向するようにかつ互いに離間されるように配置されている。支柱部材３０の内側には、支柱空間３０Ｒが構成されている。
【００２６】
側壁パネル１８と側壁パネル２０の間には、止水部材４０が配置されている。止水部材４０は、止水部４２、連結部４４、及び、止水係合部４６を有している。止水部４２は、側壁パネル１８、２０の側端辺１８Ｄ、２０Ｄの間に構成される隙間を浴室空間Ｒ１側から覆うように、内壁面１８Ｒ、２０Ｒに密着して配置される。連結部４４は、止水部４２の裏側面（浴室空間Ｒに面する側と逆側面）と連結され、係合部３８Ａと係合部３８Ｂの間を通って支柱空間３０Ｒ内まで延出されている。止水係合部４６は、連結部４４の延出先端側に構成され、支柱空間３０Ｒ内に配置されている。止水係合部４６は、係合部３８Ａ、３８Ｂの支柱空間３０Ｒ内面に係合されている。
【００２７】
支柱部材３０の、コーナー部３２、背面部３４Ａ、３４Ｂの下側には、ねじＮを挿入可能な孔３０Ｈが構成されている。支柱部材３０は、ねじＮにより水返し部１２Ｃに固定されている。
【００２８】
本実施形態のパネル連結構造７０によれば、側壁パネル１８、２０を支柱部材３０の背面部３４Ａ、３４Ｂ、及び、補助板部３６Ａ、３６Ｂで支持しているので、側壁パネル１８、２０の側端辺１８Ｄ、２０Ｄに縁板がない場合であっても、簡単に支持することができる。また、補助板部３６Ａ、３６Ｂを有しているので、側壁パネル１８、２０の側端辺１８Ｄ、２０Ｄの強度を補うことができる。したがって、改修等の際に、所望の横幅となるように側壁パネル１８、２０の端部を適宜カットして、使用することができ、側壁パネル１８、２０の汎用性を向上させることができる。
【００２９】
なお、本実施形態では、側壁パネル１８、２０の側端辺１８Ｄ、２０Ｄに縁板がない場合で説明したが、図２Ｂに示すような、側端辺１８Ｄ、２０Ｄに縁板１８Ｆ、２０Ｆが構成されている側壁パネル１８、２０の場合でも、同様にして両者を連結することができる。また、端部には、横リブがない構造も適用できる。
【００３０】
また、本実施形態では、補助板部３６Ａ、３６Ｂが、側壁パネル１８、２０の側端辺１８Ｄ、２０Ｄに当接されている例について説明したが、補助板部３６Ａ、３６Ｂは、必ずしも側端辺１８Ｄ、２０Ｄに当接されている必要はなく、補助板部３６Ａが板部材１８Ｃに交差する方向に配置され、補助板部３６Ｂが板部材２０Ｃに交差する方向に配置されていればよい。例えば、図５及び図６に示すように、係合部３８Ａ、係合部３８Ｂと面一の構成の、補助板部３６Ａ２、補助板部３６Ｂ２のように構成することもできる。
【００３１】
[第２実施形態]
次に、本発明のパネル連結構造の第２実施形態について説明する。本実施形態では、第１実施形態と同様の部分については同様の符号を付し、その詳細な説明は省略する。
【００３２】
本実施形態のパネル連結構造７２は、第１実施形態のユニット式ルーム１０に用いることができる。パネル連結構造７２は、側壁パネル１８、２０及び支柱部材５０を備えたものである。側壁パネル１８、２０は、図７に示されるように、第１実施形態で説明した側壁パネル１８、２０において、横補強リブ１８Ｂ、２０Ｂが側端辺１８Ｄ、２０Ｄまで達しておらず、側端辺１８Ｄ、２０Ｄと横補強リブ１８Ｂ、２０Ｂの水平方向の側端部１８Ｅ、２０Ｅとの間が、幅Ｗ１離間している。その他の構成については、第１実施形態の側壁パネル１８、２０と同様である。
【００３３】
支柱部材５０は、図７及び図８に示されるように、コーナー部５２、背面部材５４Ａ、５４Ｂ、補助板部５６Ａ、５６Ｂ、板面支持部５７Ａ、５７Ｂ、及び、係合部５８Ａ、５８Ｂを備えている。コーナー部５２、補助板部５６Ａ、５６Ｂ、板面支持部５７Ａ、５７Ｂ、及び、係合部５８Ａ、５８Ｂは、一枚の板で一体的に形成されている。
【００３４】
コーナー部５２は、床１２Ｂのコーナーに沿った屈曲形状とされ、下端部が水返し部１２Ｃの内側に配置されている。コーナー部５２の両端の各々は、浴室空間Ｒの内側へ屈曲されて補助板部５６Ａ、５６Ｂが構成されている。補助板部５６Ａ、５６Ｂは、各々、板面が横補強リブ１８Ｂ、２０Ｂの側端部１８Ｅ、２０Ｅに沿うように配置されている。補助板部５６Ａ、５６Ｂの板面は、側端部１８Ｅ、２０Ｅに当接して側壁パネル１８、２０の位置決めがされている。
【００３５】
板面支持部５７Ａ、５７Ｂは、各々、補助板部５６Ａ、５６Ｂから屈曲して連続構成され、板面が板部材１８Ｃ、２０Ｃの裏面（内壁面１８Ｒと逆側の面）に沿って配置されている。板面支持部５７Ａ、５７Ｂは、互いに近づく方向へ屈曲されている。板面支持部５７Ａ、５７Ｂは、止水板４１を介して板部材１８Ｃ、２０Ｃの裏面に密着されている。止水板４１は、板面支持部５７Ａ、５７Ｂと板部材１８Ｃ、２０Ｃの裏面との間をシールしている。
【００３６】
係合部５８Ａ、５８Ｂは、各々、補助板部５６Ａ、５６Ｂから延出され、補助板部５６Ａ、５６Ｂと面一に構成されている。係合部５８Ａと係合部５８Ｂは、互いの先端が対向するように、かつ互いに離間して配置されている。支柱部材５０の内側には、支柱空間５０Ｒが構成されている。
【００３７】
コーナー部５２には、背面部材５４Ａ、５４Ｂが固定されている。背面部材５４Ａ、５４Ｂは、板状とされ、固定部５４Ａ−１、５４Ｂ−１、中間部５４Ａ−２、５４Ｂ−２、及び、背面支持部５４Ａ−３、５４Ｂ−３を備えている。背面支持部５４Ａ−３は、側壁パネル１８の縦補強リブ１８Ａ、横補強リブ１８Ｂの先端面１８ＡＳ、１８ＢＳに当接して側壁パネル１８を外側から支持する。背面支持部５４Ｂ−３は、側壁パネル２０の縦補強リブ２０Ａ、横補強リブ２０Ｂの先端面２０ＡＳ、２０ＢＳに当接して側壁パネル２０を外側から支持する。
【００３８】
固定部５４Ａ−１は、コーナー部５２の上面からみた一端側の外面沿って配置され、コーナー部５２にねじ５４Ｎによって固定されている。固定部５４Ａ−１と背面支持部５４Ａ−３は、中間部５４Ａ−２を介して連結されている。固定部５４Ｂ−１は、コーナー部５２の上面からみた他端側の外面沿って配置され、コーナー部５２にねじ５４Ｎによって固定されている。固定部５４Ｂ−１と背面支持部５４Ｂ−３は、中間部５４Ｂ−２を介して連結されている。
【００３９】
側壁パネル１８と側壁パネル２０の間には、止水部材４８が配置されている。止水部材４８は、止水部４２、連結部４４、第２止水部４２Ａ、及び、止水係合部４６を有している。止水部４２、連結部４４、及び、止水係合部４６の構成については、第１実施形態と同様である。連結部４４は、止水部４２の裏側面（浴室空間Ｒに面する側と逆側面）と連結され、係合部５８Ａと係合部５８Ｂの間を介して支柱空間５０Ｒ内まで延出されている。止水係合部４６は、連結部４４の延出先端側に構成され、支柱空間５０Ｒ内に配置されている。止水係合部４６は、係合部５８Ａ、５８Ｂの支柱空間５０Ｒ内面に係合されている。第２止水部４２Ａは、連結部４４の中間部に構成され、係合部５８Ａ、５８Ｂの間に構成される隙間を覆うように、両端部が係合部５８Ａ、５８Ｂの外側面に密着されている。
【００４０】
支柱部材５０の、コーナー部５２、背面部３４Ａ、３４Ｂの下側には、ねじＮを挿入可能な孔３０Ｈが構成されている。支柱部材３０は、ねじＮにより背面部材５４Ａ、５４Ｂと共に水返し部１２Ｃに固定されている。支柱部材５０の補助板部５６Ａ、５６Ｂには、ねじＮを締結するための作業孔ＳＨが構成されている。
【００４１】
本実施形態のパネル連結構造７２によれば、側壁パネル１８、２０を支柱部材５０の背面部材５４Ａ、５４Ｂ、補助板部５６Ａ、５６Ｂ、及び、板面支持部５７Ａ、５７Ｂで支持しているので、側壁パネル１８、２０の側端辺１８Ｄ、２０Ｄに縁板がない場合であっても、簡単に支持することができる。また、補助板部５６Ａ、５６Ｂを有しているので、側壁パネル１８、２０の側端辺の強度を補うことができる。したがって、改修等の際に、所望の横幅となるように側壁パネル１８、２０の端部を適宜カットして、使用することができ、汎用性を向上させることができる。
【００４２】
なお、本実施形態では、補助板部３６Ａ、３６Ｂが横補強リブ１８Ｂ、２０Ｂの側端部１８Ｅ、２０Ｅに当接されている例について説明したが、補助板部５６Ａ、５６Ｂは、必ずしも側端部１８Ｅ、２０Ｅに当接されている必要はなく、補助板部３６Ａが板部材１８Ｃに交差する方向に配置され、補助板部３６Ｂが板部材２０Ｃに交差する方向に配置されていればよい。本実施形態のように、補助板部５６Ａ、５６Ｂを横補強リブ１８Ｂ、２０Ｂの側端部１８Ｅ、２０Ｅに当接させることにより、支柱部材５０に対する側壁パネル１８、２０の水平方向の位置決めを行うことができると共に、側壁パネル１８、２０を側面側からも支持することができる。
【００４３】
また、本実施形態では、側壁パネル１８、２０の側端辺１８Ｄ、２０Ｄと横補強リブ１８Ｂ、２０Ｂの水平方向の側端部１８Ｅ、２０Ｅとの間が、幅Ｗ１離間している例について説明したが、幅Ｗ１の構成されない、第１実施形態と同様の側壁パネル１８、２０（図２（Ａ）参照）についても、支柱部材５０を用いて連結することができる。この場合には、図９及び図１０に示すように、支柱部材５０の補助板部５６Ａ、５６Ｂ、及び、板面支持部５７Ａ、５７Ｂの、横補強リブ１８Ｂ、２０Ｂに対応する位置に、側端部１８Ｅ、２０Ｅを挿入可能な切欠５９Ａ、５９Ｂを構成する。そして、切欠５９Ａ、５９Ｂへ側端部１８Ｅ、２０Ｅを挿入して、板面支持部５７Ａ、５７Ｂにより板部材１８Ｃ、２０Ｃを支持することができる。
【００４４】
なお、上記実施形態では、本発明を浴室に適用した例を説明したが、本発明は浴室に限らず、浴槽の無いシャワールーム、トイレ等、浴室以外にも適用可能である。
【符号の説明】
【００４５】
１８、２０  側壁パネル（一対の側壁パネル）
１８Ｂ  横補強リブ
１８Ａ  縦補強リブ
２０Ｂ 横補強リブ
２０Ａ 縦補強リブ
１８ＡＳ、１８ＢＳ  先端面
２０ＡＳ、２０ＢＳ  先端面
１８Ｄ  側端辺
１８Ｒ  内壁面
２０Ｒ  内壁面
１８Ｃ  板部材
２０Ｃ  板部材
３０  支柱部材
３４Ｂ  背面部
３４Ａ  背面部
３６Ａ  補助板部
３６Ｂ  補助板部
３８Ａ  係合部
３８Ｂ  係合部
４０  止水部材
５０  支柱部材
５４Ａ  背面支持部
５４Ｂ  背面支持部
５８Ａ  係合部
５８Ｂ  係合部
７０  パネル連結構造
７２  パネル連結構造
【図１】
0005911718.tif 000002
【図２Ａ】
0005911718.tif 000003
【図２Ｂ】
0005911718.tif 000004
【図３】
0005911718.tif 000005
【図４】
0005911718.tif 000006
【図５】
0005911718.tif 000007
【図６】
0005911718.tif 000008
【図７】
0005911718.tif 000009
【図８】
0005911718.tif 000010
【図９】
0005911718.tif 000011
【図１０】
0005911718.tif 000012